(57)【要約】【課題】大きな荷重を受けることができるスライド装置のロック機構とする。【解決手段】固定側レール２１に沿って可動側レール２２を長手方向に摺動自在としてスライド装置２０とし、この固定側レール２１の幅方向両側部に形成したロック孔３１と、可動側レール２２に設けた一対のロックプレート３２と、この一対のロックプレート３２をロック位置としてロック爪３２ａをロック孔３１に係合して保持する弾性部材３３と、一対のロックプレート３２を弾性部材３３に抗して非ロック位置としてロック爪３２ａをロック孔３１から離脱する操作部材３４でロック機構３０とする。これによって、一対のロックプレート３２の係合部分でそれぞれ荷重を支持するから、大きな荷重を受けることができる。【選択図】図４
2006071126.tif 000002
【特許請求の範囲】
【請求項１】
２つのレールを長手方向に相対的に摺動自在としたスライド装置２０において、
前記一方のレールの幅方向両側部にそれぞれ形成したロック孔３１と、前記他方のレールに幅方向に移動自在に設けた一対のロックプレート３２と、この一対のロックプレート３２を、そのロック爪３２ａがロック孔３１に係合したロック位置に移動して保持する弾性部材３３と、この弾性部材３３に抗して一対のロックプレート３２を、そのロック爪３２ａがロック孔３１から離脱した非ロック位置に移動する操作部材３４でロック機構３０としたことを特徴とするスライド装置のロック機構。
【請求項２】
一方のレールと他方のレールは断面ほぼコ字形状の長尺材で、その一方のレールと他方のレールは、両者の間に長手方向に連続した空間部を形成して摺動自在に嵌め合わせ、
この空間部に、一対のロックプレート３２、弾性部材３３を設けた請求項１記載のスライド装置のロック機構。
【発明の詳細な説明】
【技術分野】
【０００１】
本発明は、昇降式換気装置や自動車の移動式シート等に用いるスライド装置のロック機構に関する。
【背景技術】
【０００２】
特許文献１に、ガイドレールに沿ってランナをスライド自在としたスライド装置において、そのランナをスライドしないようにロックするスライド装置のロック機構が開示されている。
前述のロック機構は、ガイドレールにロック孔を形成し、ランナに設けたロックプレートをロックばねで一方向に移動し、そのロックプレートのロック爪を前記ロック孔に挿入係合してランナがスライドしないようにロックし、そのロックプレートをロックオフプレートによって他方向に移動してロック爪をロック孔から離脱してロックを解除するものである。
【０００３】
【特許文献１】特許第３４９５２９８号公報
【発明の開示】
【発明が解決しようとする課題】
【０００４】
前述のスライド装置のロック機構は、ロックプレートにおけるランナの移動方向と直角な方向の一端部に設けたロック爪をロック孔に挿入、係合してロックするので、そのロックプレートにランナの移動方向に向かう大きな外力が作用した時、つまりランナに大きな移動力が作用した時にロック爪がロック孔から離脱することがある。
つまり、前述のロック機構は大きな荷重を受けることができない。
【０００５】
本発明の目的は、大きな荷重を受けることができるようにしたスライド装置のロック機構を提供することである。
【課題を解決するための手段】
【０００６】
本発明は、２つのレールを長手方向に相対的に摺動自在としたスライド装置２０において、
前記一方のレールの幅方向両側部にそれぞれ形成したロック孔３１と、前記他方のレールに幅方向に移動自在に設けた一対のロックプレート３２と、この一対のロックプレート３２を、そのロック爪３２ａがロック孔３１に係合したロック位置に移動して保持する弾性部材３３と、この弾性部材３３に抗して一対のロックプレート３２を、そのロック爪３２ａがロック孔３１から離脱した非ロック位置に移動する操作部材３４でロック機構３０としたことを特徴とするスライド装置のロック機構である。
【０００７】
第２の発明は、第１の発明において一方のレールと他方のレールは断面ほぼコ字形状の長尺材で、その一方のレールと他方のレールは、両者の間に長手方向に連続した空間部を形成して摺動自在に嵌め合わせ、
この空間部に、一対のロックプレート３２、弾性部材３３を設けたスライド装置のロック機構である。
【発明の効果】
【０００８】
請求項１に係る発明によれば、他方のレールに設けた一対のロックプレート３２のロック爪３２ａが、一方のレールの幅方向両側部のロック孔３１でそれぞれ係合して他方のレールが移動しないようにロックするので、他方のレールに作用する移動力を各ロックプレート３２の係合部分でそれぞれ支持するから、大きな荷重を受けることができる。
また、操作部材３４を操作してロックプレート３２を非ロック位置に移動することで、一方のレールと他方のレールを長手方向に相対的に移動できる。
【０００９】
請求項２に係る発明によれば、一方のレールと他方のレールは断面ほぼコ字形状の長尺材で、両者の間に長手方向に連続した空間部を形成して嵌め合わせられるから、一方のレールと他方のレールより成るスライド装置２０は略長尺な箱形状である。
そして、一対のロックプレート３２、弾性部材３３が空間部に設けてあるので、全体がコンパクトである。
したがって、伸縮ダクト１とフード２より成る昇降式換気装置に用いるスライド装置のロック機構として好適である。
【発明を実施するための最良の形態】
【００１０】
図１と図２と図３に示すように、伸縮ダクト１を介してフード２を天井等に吊り下げることで昇降式換気装置を構成している。
前記伸縮ダクト１は、天井等に固定される固定ダクト３と、この固定ダクト３に沿って摺動する可動ダクト４を備えている。
前記フード２は、可動ダクト４に取付けたフード本体５と、このフード本体５の下面開口部を閉塞する下面板６を備え、その下面板６に吸気開口部７が形成してある。
このようであるから、吸気開口部７、フード本体５、可動ダクト４、固定ダクト３と空気が流通する。
また、フード２の高さを調節できる。
【００１１】
この実施の形態では、固定ダクト３、可動ダクト４は前後寸法と左右寸法が略等しい矩形状（つまり、正方形）で、固定ダクト３の対向した２つの内面にガイド３ａを設け、可動ダクト４の対向した２つの外面に摺動子４ａを設け、この摺動子４ａをガイド３ａに沿って摺動自在に嵌め合わせてある。前記フード本体５は前後寸法が可動ダクト４よりも若干大きく、左右寸法が可動ダクト４よりも著しく大きい下面が開口した箱形状で、その上面５ａの開口部５ｂ周縁に可動ダクト４が固定してある。
前記下面板６はフード本体５よりも大きな長方形状で、一対の吸気開口部７が形成され、この吸気開口部７にフィルター８が着脱自在に取付けてある。
前記下面板６には、整流板９が各吸気開口部７と対向し、かつ下面板６と離隔して取付けてあり、この整流板９によって吸気開口部７に空気がスムーズに吸い込みされる。
前記整流板９は着脱自在である。例えば、下面板６の前後、左右中間部に左右一対のブラケット１０を固着し、このブラケット１０に整流板９の一端部が着脱自在に係合して連結され、その整流体９の他端部が下面板６に固着した突起１１に固着具１２で固着される。
前記左右一対のブラケット１０は、下面板６の前後、左右中央部に形成した開口部１３に固着した上向きコ字形状のカバー体１４の左右側面に一体的に設けてある。
前記下面板６には孔１５が形成してある。この孔１５には天井から吊り下げた図示しないランプが挿通する。
【００１２】
このようであるから、固着具１２を弛めることで整流板９を取り外しできるので、フィルター８を交換したり、清掃できる。
なお、前記整流板９の一端部はブラケット１０に上下揺動自在に係合して保持（例えば整流板９の一端部に穴９ａを形成し、その穴９ａをブラケット１０に嵌め込む）され、固着具１２を弛めることで整流板９は下方に揺動して縦向き姿勢となるようにしてある。
【００１３】
前記伸縮ダクト１内にスライド装置２０が設けてある。
このスライド装置２０は、２つのレールを長手方向に相対的に摺動自在としてある。例えば固定側レール２１に沿って可動側レール２２を長手方向に摺動自在としたもので、その固定側レール２１を固定ダクト３に連結し、可動側レール２２を可動ダクト４に連結してある。
これによって、可動側レール２２が固定側レール２１に沿って移動（スライド）することで、可動ダクト４が固定ダクト３に対して上下に移動し、フード２の高さを調節できる。
【００１４】
前記スライド装置２０はロック機構３０を備えている。
このロック機構３０は、図４に示すように前記固定側レール２１における可動側レール２２の移動方向と直角な方向（以下幅方向という）の両側部にそれぞれ形成したロック孔３１と、前記可動側レール２２に、その幅方向に移動自在に設けた一対のロックプレート３２と、この各ロックプレート３２をロック位置に移動してロック爪３２ａを各ロック孔３１にそれぞれ係合して保持するコイルスプリング等の弾性部材３３と、この弾性部材３３に抗して各ロックプレート３２を非ロック位置に移動してロック爪３２ａを各ロック孔３１からそれぞれ離脱する操作部材３４を備えている。
【００１５】
このようであるから、一対のロックプレート３２のロック爪３２ａと、固定側レール２１の幅方向の両側部に形成したロック孔３１の係合部分で可動側レール２２に作用する移動力をそれぞれ支持するので、大きな移動力が作用してもロックプレート３２のロック爪３２ａがロック孔３１から外れることがなく、大きな荷重を受けることができる。
【００１６】
次に、前記スライド装置２０、ロック機構３０の具体形状を説明する。
前記固定側レール２１は図４に示すように、基板２１ａと両側板２１ｂで断面ほぼコ字形状の長尺材で、その両側板２１ｂにロック孔３１が長手方向に間隔を置いて複数形成してある。
前記可動側レール２２は図４に示すように、基板２２ａと両側板２２ｂで断面ほぼコ字形状で、その長手方向一端部は端板２２ｃで閉塞してある。前記両側板２２ｂの上部寄りにロック爪貫通孔２３が形成してある。
前記可動側レール２２の両側板２２ｂの上端部は幅方向外側に向けて折り曲げてフランジ２２ｄとしてある。
【００１７】
前記固定側レール２１と可動側レール２２は、その固定側レール２１の両側板２１ｂの外面が可動側レール２２の両側板２２ｂの内面に接すると共に、基板２１ａ，２２ａが相対向するように嵌め合わせて、両者の間に長手方向に連続した空間部を形成するので、この固定側レール２１と可動側レール２２より成るスライド装置２０は、略長尺な箱形状である。
【００１８】
この固定側レール２１の上端部に図１、図２に示すように、上部ステー２４がビス２５で固着され、この上部ステー２４の長手方向両端部が固定ダクト３の上部寄り内面にビス２６で固着してある。
前記可動側レール２２のフランジ２３ｄに図１、図２に示すように下部ステー２７がビス２８で固着され、この下部ステー２７が可動ダクト４の上端部にビス２９で固着してある。
前記下部ステー２７には開口部２７ａが形成され、この開口部２７ａに固定側レール２１が挿通し、その固定側レール２１と下部ステー２７が干渉しないようにしてある。
【００１９】
また、前述したスライド装置２０の横断面はほぼ矩形状で、その大きさは伸縮ダクト１の矩形状の固定ダクト３、可動ダクト４と比べて著しく小さいので、伸縮ダクト１内に多量の空気がスムーズに流通する。
【００２０】
図４と図５と図６に示すように、可動側レール２２の基板２２ａの上部寄りにロックプレートガイド３５が固着され、このロックプレートガイド３５のガイド凹部３５ａに一対のロックプレート３２が幅方向に離隔して前述のロック位置と非ロック位置とに亘って幅方向に移動自在にそれぞれ設けてある。
このロックプレートガイド３５の上面には一対の第１ガイド溝３５ｂが幅方向に離隔して形成してある。
この一対の第１ガイド溝３５ｂはロックプレート３２の移動方向に向いている。
前記可動側レール２２にはロックガイド３６が、前記ロックプレートガイド３５の上面に重なり合うように可動側レール２２の移動方向に沿って移動自在に設けてあり、このロックガイド３６には一対の第２ガイド溝３６ａが幅方向に離隔して形成してある。
この第２ガイド溝３６ａは第１ガイド溝３５ｂと対向し、かつロックガイド３６の移動方向と平行に対して斜めになり、一対の第２ガイド溝３６ａはハの字形状となっている。
【００２１】
前記各第２ガイド溝３６ａ、各第１ガイド溝３５ｂを貫通してガイドピン３７が各ロックプレート３２に固着してある。
これによって、前記ロックガイド３６が長手方向一方（例えば上方）に移動すると、図５に示すように一対のロックプレート３２がロック位置に移動してロック爪３２ａがロック孔３１に係合し、ロック爪貫通孔２３に突出する。
また、前記ロックガイド３６が実線の矢印で示すように長手方向他方（例えば下方）に移動すると、図６に示すように一対のロックプレート３２が点線の矢印で示すように非ロック位置にそれぞれ移動してロック爪３２ａがロック孔３１から離脱する。
【００２２】
前記弾性部材３３は、可動側レール２２の基板２２ａに固着した受部材３８と前記ロックガイド３６との間に設けられ、前記ロックガイド３６を上方に移動してロックプレート３２をロック位置に保持している。
【００２３】
前記操作部材３４は、ロックガイド３６を弾性部材３３に抗して下方に移動するものである。
例えば、図４に示すようにロックガイド３６に連結したシャフト４０と、操作片４１を備えている。
このシャフト４０は受部材３８、端板２２ｃを摺動自在に貫通して外部に突出し、操作片４１に連結してある。
この操作片４１は前記カバー体１４内に上下動自在に設けられ、そのカバー体１４と操作片４１に指を掛けることで操作弁４１を下方に移動できるようにしてある。
【００２４】
このようであるから、カバー体１４と操作弁４１に指を掛けてロックプレート３２を非ロック位置に移動してロックを解除し、その状態で手を上下に動かしてカバー体１４とともに可動ダクト４を上下に移動してフード２の高さを調節でき、その高さ調整操作が容易である。
【００２５】
前記操作片４１にガイド４２が固着され、このガイド４２は可動側レール２２に沿って摺動自在に支承されている。例えば、ガイド４２は可動側レール２２の横断面形状とほぼ同一断面の筒形状で、可動側レール２２に摺動自在に嵌まり合っている。
このようであるから、操作片４１は真っ直ぐに移動し、その操作弁４１の長手方向両端部の指掛け部４１ａの一方を操作しても真っ直ぐに移動する。
【００２６】
前記伸縮ダクト１は、可動ダクト４の自重を支承するバランサー５０を備え、その可動ダクト４を小さな力で上下に移動できるようにしてある。
例えば、図１と図２に示すように前記固定側レール２１にブラケット５１をビス５２で取付け、このブラケット５１にプーリ５３を回転自在に設け、このプーリ５３に可撓性を有する帯板５４を巻掛け、そのプーリ５３を巻取る方向に回転付勢する。前記帯板５４を前記下部ステー２７に連結し、可動ダクト４を吊り下げ支持する。
【００２７】
前述の実施の形態では、スライド装置２０を昇降式換気装置に用いたが、これに限ることはなく、自動車の移動式シートに用いることもできる。
例えば、一対のスライド装置２０を横向きに並設し、その各可動側レール２２に亘ってシートを取付ける。この場合にはバランサーは不要である。
また、一対のスライド装置２０のロック機構３０は、そのシャフト４０をリンク機構やプッシュプルケーブル等を経て操作レバーに連結して同期して移動するようにすれば良い。
【００２８】
次に、前述の自動車の移動式シートに用いた実施の形態を説明する。
図７と図８に示すように、左右一対のスライド装置２０の固定側レール２１の基板２１ａ間に亘って床側連結部材６０、可動側レール２２の基板２２ａ間に亘ってシート側連結部材６１をそれぞれ連結して左右一対のスライド装置２０を連結する。
左右一対のスライド装置２０の各シャフト４０に、コ字形状のレバー６２の両端部６２ａを連結し、このレバー６２に把手６２ｂを設け、このレバー６２とシャフト４０で操作部材３４とする。
前記床側連結部材６０を自動車の床６３に固着し、シート側連結部材６１をシート６４の下面６４ａに固着すると共に、このシート６４の下面６４ａに固着したブラケット６５に前記レバー６２をピン６６で上下揺動自在に取付ける。
【００２９】
このようにすることで、把手６２ｂを持ってレバー６２を矢印で示すように上方に揺動することで各シャフト４０が移動してロック解除され、把手６２ｂから手を離すことでロックされる。
【００３０】
前述の第１・第２の実施の形態ではロック孔３１を有するレールを固定側とし、ロックプレート３２を有するレールを可動側としたが、これは反対にロック孔３１を有するレールを可動側とし、ロックプレート３２を有するレールを固定側としても良い。すなわち、２つのレールにおける一方のレールにロック孔３１を形成し、他方のレールにロックプレート３２を設けるようにすれば良い。
【図面の簡単な説明】
【００３１】
【図１】本発明のスライド装置を備えた昇降式換気装置の一部を破断した正面図である。
【図２】本発明のスライド装置を備えた昇降式換気装置の一部を破断した側面図である。
【図３】本発明のスライド装置を備えた昇降式換気装置の底面図である。
【図４】スライド装置、ロック機構の分解斜視図である。
【図５】ロック機構部分のロック状態の拡大図である。
【図６】ロック機構部分の非ロック状態の拡大図である。
【図７】本発明のスライド装置を備えた移動式シートの正面図である。
【図８】本発明のスライド装置を備えた移動式シートのシートを省略した平面図である。
【符号の説明】
【００３２】
１…伸縮ダクト、２…フード、３…固定ダクト、４…可動ダクト、５…フード本体、６…下面板、７…吸気開口部、２０…スライド装置、２１…固定側レール（一方のレール）、２２…可動側レール（他方のレール）、３０…ロック機構、３１…ロック孔、３２…ロックプレート、３２ａ…ロック爪、３３…弾性部材、３４…操作部材。
【図１】
2006071126.tif 000003
【図２】
2006071126.tif 000004
【図３】
2006071126.tif 000005
【図４】
2006071126.tif 000006
【図５】
2006071126.tif 000007
【図６】
2006071126.tif 000008
【図７】
2006071126.tif 000009
【図８】
2006071126.tif 000010